(57)【要約】ＯＦＤＭＡのようなセルラー通信システムにおける信号送信オーバーヘッドは、ユーザ端末からネットワークに報告される各測定値の関数としての報告値を計算することによって削減される。報告値は、測定されるパラメータに対する最大値に基づくのが好ましく、測定値よりも少ないビットによって表すことが可能である。ユーザ端末からネットワークに報告するための最良測定値のみを選択することによって、オーバーヘッドはさらに削減可能である。【選択図】図４
2009513060.tif 000002
【特許請求の範囲】
【請求項１】
セルラーネットワーク内のアクセスポイント（３）と通信するために使用するための、前記セルラーネットワーク内のユーザ端末（５）であって、
前記アクセスポイントから受信される、ダウンリンクチャネルに関する測定を行うための手段（２３）と、
前記測定の結果についての情報を、前記セルラーネットワーク内のノード（３、７）に報告するための手段（２１）と
を含む前記ユーザ端末（５）であって、
前記ユーザ端末（５）は、各測定値の関数としての報告値を計算するための手段（２７）を含むことと、
前記報告手段（２１）は、実際の前記測定値の代わりに、前記報告値を報告するように設定されることと
を特徴とする前記ユーザ端末（５）。
【請求項２】
前記測定に対する最大値γｍａｘを記憶するための記憶手段（２６）をさらに含み、その場合、前記計算手段（２７）は、前記最大値γｍａｘの関数としての前記報告値を計算するように設定される、請求項１によるユーザ端末（５）。
【請求項３】
前記ネットワーク内の制御ノード（３、７）から前記最大値γｍａｘを受信するための手段（２１）をさらに含む、請求項１〜２のいずれか１項によるユーザ端末。
【請求項４】
ｋ個の最良測定値を選択するための手段を含み、ｋは正の整数であって、その場合、前記計算手段（２７）は、前記ｋ個の最良測定値のみに対する報告値を計算するために設定され、前記報告手段（２１）は、前記ｋ個の最良測定値についての情報のみを前記制御ノード（３、７）に報告するように設定される、請求項１〜３のいずれか１項によるユーザ端末。
【請求項５】
閾値γｍｉｎを超える全測定値を判別するための手段をさらに含み、その場合、前記計算手段は、前記閾値γｍｉｎを超える前記測定値のみに対する報告値を計算するように設定され、前記報告手段は、前記閾値γｍｉｎを超える測定値のみを報告するように設定される、請求項１〜４のいずれか１項によるユーザ端末。
【請求項６】
ｋの値および／またはγｍｉｎの値を、前記ネットワーク内のノード（３、７）から受信するための手段（２１）をさらに含む、請求項４および５のいずれか１項によるユーザ端末。
【請求項７】
セルラーネットワークにおける使用のための制御ノード（３、７）であって、
前記セルラーネットワーク内の通信を制御するように設定され、
前記ユーザ端末（５）によって取得される、前記ノード（３、７）と前記ユーザ端末（５）との間のダウンリンクチャネルに関する測定値についての情報を、前記ネットワーク内のユーザ端末（５）から受信するための手段（１５、１１）を含む、前記ノードであって、
前記ユーザ端末から受信される前記情報に応じて、前記端末と通信するために使用すべき少なくとも１つのチャネルを選択するための手段を含む、前記ノードであって、
前記受信手段（１１、１５）は、各測定値についての情報を、前記測定値の関数である報告値として受信するように設定されること、を特徴とする前記ノード。
【請求項８】
測定値に対する最大値として最大値γｍａｘを設定するための手段（９、１３）と、前記最大値γｍａｘを前記ユーザ端末に報告するための手段（１０、１４）とをさらに含む、請求項７によるノード。
【請求項９】
前記ユーザ端末によって報告される測定値の数を表す値ｋ、および／または前記ユーザ端末から報告される最低測定値を決定する最小閾値γｍｉｎを設定するための手段（９、１３）と、前記設定値を前記ユーザ端末に報告するための手段（１０、１４）と、前記設定値を前記ユーザ端末（５）に報告するための手段とをさらに含む、請求項７または８によるノード。
【請求項１０】
前記報告手段（１０、１４）は、前記設定値をブロードキャストメッセージで報告するように設定される、請求項８または９によるノード。
【請求項１１】
前記報告手段（１０、１４）は、前記設定値を前記ユーザ端末に専用論理チャネル上で報告するように設定される、請求項８〜１０のいずれか１項によるノード。
【請求項１２】
前記セルラーネットワークにおいてアクセスノード（３）によってダウンリンクで送信されるパイロットシンボルまたは別の適当な測定可能信号からなる少なくとも１つの前記ダウンリンクチャネルを選択するための方法であって、
前記アクセスノード（３）から受信される、ダウンリンクチャネルに関する測定をユーザ端末（５）において行うステップと、
測定値についての情報を、前記ユーザ端末（５）からセルラーネットワーク内の制御ノード（３、７）に報告するステップと、
前記報告情報に応じて、少なくとも１つのダウンリンクチャネルを選択するステップと
を含む前記方法であって、
各測定値の関数としての報告値を計算することと、
実際の前記測定値の代わりに、前記報告値を報告することと
を特徴とする前記方法。
【請求項１３】
前記関数は、前記測定に対する最大値γｍａｘの関数である、請求項１２による方法。
【請求項１４】
ｋ個の最良測定値を選択することと、前記ｋ個の最良測定値のみを前記制御ノードに報告することとをさらに含む、請求項１２〜１３のいずれか１項による方法。
【請求項１５】
最小閾値γｍｉｎを超える前記測定値を判別することと、前記最小閾値γｍｉｎを超える前記測定値のみを報告することとをさらに含む、請求項１２〜１４のいずれか１項による方法。
【請求項１６】
前記最大値γｍａｘ、前記ｋの値および／または前記最小値γｍｉｎを、前記ネットワーク内の制御ノード（３、７）から受信するステップをさらに含む、請求項１３〜１５のいずれか１項による方法。
【請求項１７】
前記制御ノードは前記アクセスポイントである、請求項１６による方法。
【請求項１８】
前記制御ノードはＲＮＣである、請求項１６による方法。
【発明の詳細な説明】
【技術分野】
【０００１】
本発明は、請求項１の前段部に定義されるとおりの、セルラー通信システムにおける使用のためのユーザ端末と、請求項７の前段部に定義されるとおりの、セルラー通信システムにおける使用のための制御ノードと、請求項１２の前段部に定義されるとおりの、セルラー通信システムにおいて少なくとも１つのダウンリンクチャネルを選択するための方法とに関する。
【背景技術】
【０００２】
セルラー通信システムにおいては、使用可能な帯域幅をできる限り効率的に使用することが望ましい。これは、各接続に対し最良の通信チャネルを選択することを含む。これを達成するために、多くのシステムにおいて、各ユーザ端末が、使用可能なチャネルに関するダウンリンク信号送信品質を示すパラメータを測定し、アクセスポイント（基地局）または制御ノードのような、ネットワーク内のユニットに、これらのパラメータの値を報告する。その後これらのパラメータ値は、通信チャネルを選択するときに使用される。
【０００３】
ＯＦＤＭＡベースのシステムにおいて、使用可能なチャネル帯域幅は、いくつかのサブチャネル、または「チャンク（ｃｈｕｎｋｓ）」に細分される。サブチャネルは、通常、時間および周波数の両方において定義される２次元概念、つまり、時間‐周波数資源である。サブチャネルは、このシステムにおける周波数帯域幅の割り当て可能な最小部分である。各サブチャネル、またはチャンクは、約２００ｋＨｚの帯域幅をもち、言い換えると、直交サブキャリアからなる。ＯＦＤＭＡベースのシステムは、典型的に、アクセスポイント（ａｃｃｅｓｓ  ｐｏｉｎｔ：ＡＰ）毎のチャネル帯域幅毎に５０〜１００のサブキャリア、またはチャンクをもつ。
【０００４】
各ユーザ端末は、各チャネルに関するダウンリンクチャネル品質の測定を行い、測定したチャネル品質をネットワークに報告する。チャネル品質インジケータ（ｃｈａｎｎｅｌ  ｑｕａｌｉｔｙ  ｉｎｄｉｃａｔｏｒ：ＣＱＩ）、受信信号強度インジケータ（ｒｅｃｅｉｖｅｄ  ｓｉｇｎａｌ  ｓｔｒｅｎｇｔｈ  ｉｎｄｉｃａｔｏｒ：ＲＳＳＩ）、ＵＥ送信電力、信号対干渉雑音比（ｓｉｇｎａｌ  ｔｏ  ｉｎｔｅｒｆｅｒｅｎｃｅ  ａｎｄ  ｎｏｉｓｅ  ｒａｔｉｏ：ＳＩＮＲ）のような各種の測定が、端末によって実行される。ダウンリンク瞬時（短期間）または長期間チャネル品質を示すことができるパイロットシンボルまたは他の適当ないかなる測定可能信号に関しても、ＣＱＩ、ＲＳＳＩまたはＳＩＮＲは端末によって測定可能である。端末から報告される測定に基づき、ネットワークはチャンクを動的に割り振り、ユーザへデータをダウンリンクで送信すること、またはハンドオーバーのような他の種類の無線資源管理タスクを行うことが可能である。
【０００５】
測定は、ユーザ端末によって、アクセスポイント（ＡＰ）へ直接報告される場合、または無線ネットワークコントローラ（ｒａｄｉｏ  ｎｅｔｗｏｒｋ  ｃｏｎｔｒｏｌｌｅｒ：ＲＮＣ）のような中央集中コントローラ（ｃｅｎｔｒａｌｉｚｅｄ  ｃｏｎｔｒｏｌｌｅｒ）へ直接報告される場合がある。ある測定、例えばＣＱＩおよびＲＳＳＩは、高速スケジューリングにバンド内信号送信を使用して、ＡＰへ直接報告されることとなる。上述のとおり、ＯＦＤＭＡシステムにおいて、各アクセスポイントは１００ものチャネルをもつことができる。またインターリービング時間は非常に短く、１ミリ秒未満であり、報告は、各インターリービング時間に１回送信され、瞬時チャネル品質を追跡記録する。したがって、現在使用されている測定報告機構は、アップリンクにおいてかなりの信号送信オーバーヘッドをもたらすであろう。
【発明の開示】
【発明が解決しようとする課題】
【０００６】
本発明の目的は、セルラー通信システムにおいて信号送信オーバーヘッドを削減することである。
【課題を解決するための手段】
【０００７】
この目的は、本発明によると、セルラーネットワーク内のアクセスポイントとの通信のために使用するための、セルラーネットワーク内のユーザ端末によって達成される。アクセスポイントから受信される、ダウンリンクチャネルに関する測定を行うための手段と、これらの測定の結果についての情報をセルラーネットワーク内のノードに報告するための手段とを、上記ユーザ端末は含む。上記ユーザ端末が、各測定値の関数としての報告値を計算するための手段を含むことと、上記報告手段が、実際の測定値の代わりに報告値を報告するように設定されることとを、上記ユーザ端末は特徴とする。
【０００８】
またこの目的は、セルラーネットワークにおける使用のための制御ノードによって達成される。上記ノードは、上記セルラーネットワーク内の通信を制御するように設定される。ユーザ端末によって取得される、ノードとユーザ端末との間のダウンリンクチャネルに関する測定値についての情報を、ネットワーク内のユーザ端末から受信するための手段を、上記ノードは含む。上記ノードは、ユーザ端末から受信された情報に応じて、端末と通信するために使用すべき少なくとも１つのチャネルを選択するための手段を含む。受信手段が、各測定値についての情報を、上記測定値の関数である報告値として受信するように設定されることを、上記ノードは特徴とする。
【０００９】
またこの目的は、セルラーネットワークにおいてアクセスノードによってダウンリンクで送信されるパイロットシンボルまたは別の適当な測定信号を含む少なくとも１つのダウンリンクチャネルを選択するための方法によって達成され、この方法は、
アクセスノードから受信される、ダウンリンクチャネルに関する測定をユーザ端末において行うステップと、
測定値についての情報を、ユーザ端末からセルラーネットワーク内の制御ノードに報告するステップと、
報告情報に応じて、少なくとも１つのダウンリンクを選択するステップと
を含み、
上記方法は、
各測定値の関数としての報告値を計算することと、実際の測定値の代わりに報告値を報告することと
を特徴とする。
【００１０】
報告値は測定値より少ないビットで表すことが可能であるため、本発明による解決手段は、ユーザ端末とネットワークとの間のオーバーヘッドトラフィックの削減を可能にする。各測定値を報告するために必要なビットの数を削減することにより、信号送信に必要な帯域幅は削減可能である。
【００１１】
好ましい実施形態において、ユーザ端末は、また、測定に対する最大値γｍａｘを記憶するための記憶手段を含み、ここで、計算手段は、最大値γｍａｘの関数としての報告値を計算するように設定される。この方法において使用されるこの関数は、したがって最大値γｍａｘの関数である。
【００１２】
ユーザ端末は、ネットワーク内の制御ノードから最大値γｍａｘを受信するための手段をさらに含むことが可能である。この場合、ノードは、測定値の最大値として最大値γｍａｘを設定するための手段と、上記最大値γｍａｘをユーザ端末に報告するための手段とをさらに含む。
【００１３】
好ましい実施形態において、ユーザ端末は、ｋ個の最良測定値を選択するための手段をさらに含み、ｋは正の整数であり、ここで、計算手段は、ｋ個の最良測定値のみに対して報告値を計算するように設定され、報告手段は、ｋ個の最良測定値についての情報のみを制御ノードに報告するように設計される。
【００１４】
この場合、この方法は、ｋ個の最良測定値を選択することと、ｋ個の最良測定値のみを制御ノードに報告することとをさらに含む。
【００１５】
ネットワークを通して送信される測定値または報告値の数がかなり削減可能であるため、この方法におけるｋ個の最良測定値のみの選択報告は、信号送信に必要とされる帯域幅のさらなる削減を可能にする。言うまでもなく、この実施形態はそのままでも使用可能である、つまり、報告値を最初に計算しなくとも、測定値を選択して報告することも可能である。
【００１６】
ユーザ端末は、閾値γｍｉｎを超える全測定値を判別するための手段をさらに含むことが可能であり、一方計算手段は、閾値γｍｉｎを超える測定値のみに対して報告値を計算するように設計され、報告手段は、閾値γｍｉｎを超える測定値のみを報告するように設計される。この場合、この方法は、最小閾値γｍｉｎを超える測定値を判別することと、最小閾値γｍｉｎを超える測定値のみを報告することとをさらに含む。
【００１７】
値ｋおよびγｍｉｎがネットワークから受信される場合、ユーザ端末は、ネットワーク内のノードから、ｋの値および／またはγｍｉｎの値を受信するための手段をさらに含む。この場合、ユーザ端末によって報告される測定値の数を表す値ｋ、および／またはユーザ端末から報告される最低測定値を決定する最小閾値γｍｉｎを設定するための手段と、設定値をユーザ端末に報告するための手段と、設定値をユーザ端末に報告するための手段とを、ノードはさらに含む。
【００１８】
報告手段は、設定値をブロードキャストメッセージで報告するように設定可能である。あるいは、報告手段は、設定値をユーザ端末に専用論理チャネル上で報告するように設定される。
【００１９】
制御ノードは、アクセスポイントである場合、またはＲＮＣのような制御ノードである場合がある。
【００２０】
本発明の第２の側面によると、この目的は、セルラーネットワーク内のアクセスポイントとの通信のために使用するための、セルラーネットワーク内のユーザ端末によって達成される。アクセスポイントから受信される、ダウンリンクに関する測定を行うための手段と、これらの測定からの測定値をセルラーネットワーク内の制御ノードに報告するための手段とを、上記ユーザ端末は含む。上記ユーザが、ユーザ端末から報告される測定値の最多の数を示す正の整数ｋを記憶するための記憶手段と、
ｋ個の最良測定値を選択するための手段と
を含むことと、
報告手段が、ｋ個の最良測定値についての情報のみを制御ノードに報告するように設定されることと
を上記ユーザ端末は特徴とする。
【００２１】
記憶手段は、閾値γｍｉｎを記憶するように設定されるのが好ましく、選択手段は、閾値γｍｉｎを下回る全測定値を判別するように設定され、報告手段は、閾値γｍｉｎを超える測定値のみを報告するように設定される。
【００２２】
値ｋおよび／または閾値γｍｉｎは、ネットワーク内の制御ノードから受信可能である。
【００２３】
この第２の側面によると、この目的は、また、セルラーネットワークにおける使用のための制御ノードによって達成される。上記ノードは、上記セルラーネットワークにおける通信を制御するように設計される。また、ユーザ端末によって取得される、ネットワークとユーザ端末との間のダウンリンクチャネルに関する測定値についての情報を、ネットワーク内のユーザ端末から受信するための手段を、上記ノードは含む。上記ノードは、ユーザ端末から受信される情報に応じて、端末との通信に使用すべき少なくとも１つのチャネルを選択するための手段を含む。ユーザ端末によって報告される測定値の数を表す値ｋ、および／またはユーザ端末から報告される最低測定値を決定する最小閾値γｍｉｎを設定するための手段と、設定値をユーザ端末に報告するための手段とを含むことを、上記ノードは特徴とする。
【００２４】
報告手段は、ブロードキャストメッセージで設定値を報告するように設定される場合、または、専用論理チャネルまたは別の適当な論理チャネル上で、設定値を報告するように設定される場合がある。
【００２５】
この第２の側面によると、本発明は、また、セルラーネットワーク内のアクセスノードとユーザ端末との間で信号送信するために、セルラーネットワークにおいて少なくとも１つのダウンリンクチャネルを選択するための方法に関し、この方法は、
アクセスノードから受信される、ダウンリンクチャネルに関する測定をユーザ端末において行うステップと、
測定値についての情報を、ユーザ端末からセルラーネットワーク内の制御ノードに報告するステップと、
報告情報に応じて、少なくとも１つのダウンリンクチャネルを選択するステップと
を含み、
上記方法は、ｋ個の最良測定値を選択することと、ｋ個の最良測定値のみを制御ノードに報告することとを特徴とする。
【００２６】
この方法は、最小閾値γｍｉｎを越える測定値を判別することと、最小閾値γｍｉｎを超える測定値のみを報告することとをさらに含むのが好ましい。
【００２７】
以上の説明では、出発点としてＯＦＤＭＡシステムを使用したが、情報送信が受信機からのフィードバックに依存する他のいかなるアクセス技術を使用する通信システムに対しても、本発明を適用することが有利である場合があり、そのようなアクセス技術にはＦＤＭＡおよびＴＤＭＡが含まれる。
【００２８】
例として、添付図面を参照しながら、本発明を以下でより詳細に説明することとする。
【発明を実施するための最良の形態】
【００２９】
図１は、３つのサイト１を含むセルラーネットワークを概略的に示す。各サイトは、ユーザ端末５と通信するための基地局３をもつ。サイトは、通常３つのセクタを含むのであるが、全方向式である場合、または３つ以上セクタをもつ（高次セクタ化（ｈｉｇｈｅｒ‐ｏｒｄｅｒ  ｓｅｃｔｏｒｉｚａｔｉｏｎ））場合もある。無線ネットワークコントローラ（ＲＮＣ）のような中央制御ノード７が、基地局において無線資源を制御し、ハンドオーバー、アドミッション制御、混雑（ｃｏｎｇｅｓｔｉｏｎ）制御等のような無線資源管理タスクを担う。各基地局３は、そのセル内のユーザ端末５と、多くの異なるチャネル上で通信可能である。ネットワーク内の制御ノード、つまり、基地局３または中央制御ノード７のいずれか、またはその両方は、特定のユーザ端末５との通信にどのチャネルを使用するかを決定する。この決定は、基地局３および／または制御ノード７に各端末から報告される測定データに基づいており、ダウンリンクに関して測定されるシステムパラメータに関し、そのシステムパラメータは各チャネルの品質を示す。この決定を行う方法は当技術分野において周知のものである。
【００３０】
本発明の第１の実施形態によると、各端末が品質測定パラメータを報告するチャネルの数を削減することによって、信号送信オーバーヘッドは削減される。制御ノード７および／またはアクセスポイント３は、あるシステムパラメータにパラメータ値を必要に応じて設定するためのパラメータ設定ユニット９、１３をそれぞれ含み、また、これらのパラメータをユーザ端末５に報告するための報告手段１０、１４をそれぞれ含む。パラメータｋ、γｍｉｎおよびγｍａｘ、およびそれらをどのように設定するかを以下で詳細に説明することとする。従来のシステムにおいては、制御ノード７および／またはアクセスポイント３は、ユーザ端末と通信する場合に使用するためのダウンリンクチャネルを選択するためのユニットも含む。この選択は、ユーザ端末によって実行される測定の報告に基づいて行われる。測定報告は、制御ノード７内の受信ユニット１１においておよび／または基地局３内の受信ユニット１５において受信され、処理される。
【００３１】
この実施形態におけるその最も単純な形式では、端末が測定を報告すべきチャネルの数を示す数字ｋを、ネットワーク、つまりアクセスポイントまたは制御ノードが決める。端末は、ｋ個の最良チャネルを選択し、それらを大きさについて降順にソートし、これらのチャネルに対する値をネットワークに報告する。通信に使用されるチャネルは実際には常に最良チャネル（例えば１０個の最良チャネル）の中から選択されるため、この最良チャネルの選択、ソートおよび報告は、セルラーネットワークの性能全般を損なうことなく、信号送信オーバーヘッドを削減する。
【００３２】
ネットワークは、各種の測定に対する最低受容可能レベルを特定する測定閾値γｍｉｎを決める。測定閾値γｍｉｎを超える全部の測定値がネットワークに報告される場合、または閾値がｋ個の最良チャネルと組み合わされる場合がある。また後者の場合、ｋ個のうちのｉ個の最良チャネルの測定が測定閾値γｍｉｎを下回ると、これらのｉ個のチャネルは報告されないであろう。この場合、もし使用可能なチャネル数個のみで、接続をセットアップするための最低限の必要性が満たされるなら、測定データが報告されなければならないチャネルの数は、ｋ−ｉ個までなおもさらに削減可能なのである。
【００３３】
この第１の実施形態において使用されるシステムパラメータ、つまり、最良チャネルの数（ｋ）および最小測定閾値γｍｉｎは、ネットワークによって決められ、バッファ内のデータの量、トラフィック全般、サービスの質等に基づき得る。例として、リアルタイムビデオまたはスピーチのようなリアルタイムサービスに対し、平均ビットレートおよび対応する伝送フォーマットを予測するために、トラフィック条件（バッファ状態）がネットワークによって使用される。これにより、ネットワークが、必要なチャンクの数および最低品質レベル（γｍｉｎ）を決めることが可能となる。
【００３４】
端末が報告するチャネルの数は、この端末の接続に必要なチャネルの数にも基づく。チャネルのこの数は、要求されるサービスの種類、およびネットワークに既知のチャネルの品質に基づき、ネットワークによって決定される。このネットワークは、他の端末によって報告される測定データを使用して、チャネルの品質を決定する場合もある。しかし、これらの測定は、その測定を報告する端末によって経験される（ｅｘｐｅｒｉｅｎｃｅｄ）チャネルを表すものであって、必ずしも他の端末によって経験される品質まで表している必要はないであろう。端末が同様な無線条件（例えば、同様のシャドーイング、フェージングプロファイル、ユーザスピード等）に従うシナリオにおいては、ある端末によって報告される測定が、測定を報告しない他の端末のチャネル品質を決定するために有用である場合がある。
【００３５】
この実施形態の第２の実施形態は、測定データの差分報告を使用する。これにより、各測定パラメータに対し報告しなければならないデータの量を削減することで、信号送信オーバーヘッドは削減される。この差分報告は、ＲＳＳＩのように、非常に大きな動的レンジをもつパラメータに対して特に有用である。大きな動的レンジとは、より小さな動的レンジをもつパラメータと比較すると、各パラメータ値が多数のビットを必要とするために、比較的大きな信号送信オーバーヘッドを生成するということを意味する。
【００３６】
この第２の実施形態によると、あり得る最大値γｍａｘが各パラメータに対し決められる。実際のパラメータ値は、γｍａｘの関数、または以前に報告された値の関数として報告される。当業者が了解するとおり、かかる処理は多数の方法で達成可能であり、そのうちのいくつかを以下で議論することとする。
【００３７】
パラメータ値が報告されるべきサブチャネル、またはチャンクを、［φ１，φ２，……，φｋ］と判別することとする。これは、全部のサブチャネルを含む場合、または上述のとおりに選択されるｋ個またはｋ−ｉ個の最良サブチャネルを含む場合がある。これらのサブチャネルの測定値は［α１，α２，……，αｋ］である。第２の実施形態によると、ユーザ端末はサブチャネルＩＤおよび差分測定［β１，β２，……，βｋ］をアクセスポイントに報告する。
【００３８】
差分測定［β１，β２，……，βｋ］は、例えば、以下により決定される。
【００３９】
【数１】
2009513060.tif 000003
【００４０】
あるいは、差分測定［β１，β２，……，βｋ］は、以下により決定される
【００４１】
【数２】
2009513060.tif 000004
【００４２】
上で与えられた２つの例において、使用される関数は減法を含んでいる。この関数は、例えば以下の方法のように、除法に基づく場合もある。
【００４３】
【数３】
2009513060.tif 000005
【００４４】
重要なことは、このような関数により、実際のパラメータ値を報告する場合よりも少ないビットを使用して、パラメータを報告することが可能になるということであり、かかる条件を満たすのであれば、いかなる関数を使用しても良い。
【００４５】
この実施形態において使用されるシステムパラメータγｍａｘは、端末に既知の固定標準化値である場合、またはネットワークによって設定可能である変数である場合がある。
【００４６】
以上に開示した第１および第２の実施形態は、上述のとおり個別に使用される場合も、併せて使用される場合もある。後者の場合、ｋまたはｋ−ｉ個の最良チャネルに対するパラメータは、異なる方法で報告される。
【００４７】
上述の両実施形態において、システムパラメータｋ、γｍｉｎ、γｍａｘは、デフォルト値として端末に記憶されている場合、またはネットワークから端末へ信号送信される場合がある。この信号送信は、いくつかの異なる方法で行われる場合があり、そのいくつかの異なる方法を以下で議論することとする。
【００４８】
システムパラメータは、以下のいずれかの選択肢を使用して示される可能性がある。
●無線資源制御（ｒａｄｉｏ  ｒｅｓｏｕｒｃｅ  ｃｏｎｔｒｏｌ：ＲＲＣ）信号送信を通して、専用論理チャネルまたは何か他の論理チャネル上で個別に、直接各ユーザ端末に報告される。この場合、各ユーザ端末に対し、異なるパラメータが設定され、信号送信される場合がある。
●各セル内のアクセスポイントによってブロードキャストされる。この場合、１つのセル内の全部のユーザ端末に対し、同じパラメータが使用されるのが好ましい。
●ユーザ端末への直接命令とブロードキャストとの組み合わせが使用される可能性がある。この場合、ブロードキャストデータおよび個別報告データに対し、優先順位が決定されなければならない。
●デフォルト値が設定される可能性がある。ネットワークが、上記方法のいずれかを使用して、１つまたはそれ以上の上記システムパラメータを信号送信しない場合には、端末はこのデフォルト値を使用することとなる。
【００４９】
通常、通話がセットアップされようとすると、システムパラメータの再設定が行われるであろう。例えばサービスの種類が変更されようとする場合には、この再設定は通話中に行われる場合もある。ブロードキャストメッセージは、また、アイドル状態の端末のパラメータを更新するために使用される場合もある。事実上、この更新とは、新しいデフォルト値の設定を意味するであろう。
【００５０】
図２は、本発明による、ネットワーク内のアクセスポイントと通信するためのユーザ端末を示す。ユーザ端末は、受信手段および送信手段を含み、それらの手段はここでは、ネットワークからダウンリンク信号を受信するためのアンテナ２１で表されている。受信される、各チャンクまたはサブチャネルに関する測定を、測定ユニット２３が行う。
【００５１】
第１の主な実施形態によると、信号送信オーバーヘッドを削減するために、ユーザ端末からネットワークに報告される測定値を選択するための選択手段２５も、ユーザ端末は含む。送信手段がｋ個の測定値のみをネットワークへ送信することが可能となるように、選択手段２５は、ｋ個の最良測定値を選択するように設計されるのが好ましい。代替または追加として、閾値γｍｉｎを下回る測定値がネットワークに報告されないように、選択手段２５は、閾値γｍｉｎを超える測定値を判別するように設定される場合もある。パラメータｋおよびγｍｉｎは記憶手段２６に記憶される。
【００５２】
第２の主な実施形態によると、ユーザ端末は、測定値の関数としての報告値を計算するための計算手段２７も含む。この場合、記憶手段２６は、上述のとおり最大値γｍａｘも含む。報告値は測定値を表すが、必要なビットはより少ない。この実施形態において、送信手段２１は、測定値の代わりに報告値を送信し、それにより信号送信オーバーヘッドは削減されるであろう。
【００５３】
上述のとおり、計算手段２７は、ｋ個の最良値、または閾値γｍｉｎを超える値のみを計算し、送信手段２１は、選択されたチャネルのみに対する報告値を、これらのチャネルに対する測定値の代わりに、ネットワークに報告することとなるように、２つの実施形態を組み合わせることが可能である。この場合、記憶ユニットは全３個のシステムパラメータ、ｋ、γｍｉｎおよびγｍａｘを含むであろう。言うまでもなく、移動端末は他の論理ユニットも含むであろう。この他の論理ユニットは当技術分野において周知のものであり、本発明には関連がなく、したがってここでは説明しないこととする。
【００５４】
図３は、本発明の方法の第１の主な実施形態の流れ図である。ステップＳ１において、アクセスポイント（または基地局）は、パイロットシンボルまたは別の適当な測定可能信号を定期的に送信し、その信号は、端末がダウンリンク短期間または長期間チャネル品質を推定するために使用可能である。ダウンリンクパイロット送信の定期性および頻度は、ネットワークによって設定可能である。
【００５５】
ステップＳ２において、移動端末は、例えばＣＱＩ、ＲＳＳＩ、送信電力、ＳＩＮＲ等、ダウンリンクチャネル品質を示す測定を行う。
【００５６】
ステップＳ３において、ステップＳ２において行われた測定の結果により決定される最良チャネルを、移動端末は選択する。上述のとおり、選択されるｋ個のチャネルは、移動端末に記憶されるデフォルト値によって決定される場合、または代わりに、ネットワークから、例えばアクセスポイントまたは制御ノードから、移動端末へ信号送信される場合がある。この信号送信は、アクセスポイントまたは中央ノードによって、関係するユーザ端末へ直接送信される場合、またはアクセスポイントによって全端末へブロードキャストされる場合がある。
【００５７】
ステップＳ４において、移動端末は、測定値を最小閾値γｍｉｎと比較し、最小閾値を下回るものを捨てる。
【００５８】
報告される測定値の数を削減するために、ステップＳ３またはＳ４のいずれかが使用される場合、または流れ図に示すように、それらを併せて使用する場合がある。
【００５９】
ステップＳ５において、移動端末は測定値をネットワークに報告する。測定値の数を削減するためにステップＳ３が使用される場合、ｋ個の最良値が報告される。測定値の数を削減するためにステップＳ４が使用される場合、最小閾値γｍｉｎを超える全部の測定値が報告される。ステップＳ３およびＳ４が併せて使用される場合、ｋ個の最良値が選択される。その後、これらのｋ個の値の中で、最小閾値γｍｉｎを下回る値は全部捨てられる。この場合、もしｋ個全部の最良測定値が最小閾値γｍｉｎを超えるなら、ｋ個の値が移動端末からネットワークに報告されるであろう。ｋ個の最良測定値のうちｉ個が最小閾値を下回る場合には、ｋ−ｉ個の最良値が報告されるであろう。
【００６０】
ステップＳ６において、ネットワーク内の制御ノードまたはアクセスポイントは、報告測定データを使用して、信号またはデータを移動端末へ送信する場合に使用する１つまたはそれ以上のチャネルを選択する。
【００６１】
図４は、本発明の方法の第２の主な実施形態の流れ図である。ステップＳ１１において、アクセスポイント（または基地局）は、パイロットシンボルまたは何か他の適当な測定可能信号を定期的に送信し、その信号は、端末がダウンリンク短期間または長期間チャネル品質を推定するために使用可能である。ダウンリンクパイロット送信の定期性および頻度は、ネットワークによって設定可能である。
【００６２】
ステップＳ１２において、移動端末は、例えばＣＱＩ、ＲＳＳＩ、送信電力、ＳＩＮＲ等、ダウンリンクチャネル品質を示す測定を行う。
【００６３】
ステップＳ１３において、移動端末は、測定データの関数を計算する。この関数は、上述のとおりのものであっても良く、または、ネットワークに報告されることとなる測定データよりも、その関数から得られる値のほうが必要なビットが少ない限り、いかなる関数が使用されても良い。
【００６４】
ステップＳ１４において、移動端末はこの関数から得られる値をネットワークに報告する。
【００６５】
ステップＳ１５において、ネットワーク内の制御ノードまたはアクセスポイントは、報告測定データを使用して、移動端末へ信号送信する場合に使用する１つまたはそれ以上のチャネルを選択する。このステップＳ１５は、元の測定値を取り戻すための、報告値に関する計算に関する場合もある。
【００６６】
図４に示される方法は、図３に示される方法と組み合わせることが可能である。この場合、ステップＳ３および／またはステップＳ４は、最も重要な測定値を選択するために行われ、これらの値にのみステップＳ１３の関数が適用される。
【００６７】
このような組み合わせにより、移動端末とネットワークとの間の信号送信に必要な帯域幅はさらに削減されるであろう。
【図面の簡単な説明】
【００６８】
【図１】図１は、セルラーネットワークを概略的に示す。
【図２】図２は、本発明によるユーザ端末を示す。
【図３】図３は、本発明の方法の第１の主な実施形態の流れ図を示す。
【図４】図４は、本発明の方法の第２の主な実施形態の流れ図を示す。
【図１】
2009513060.tif 000006
【図２】
2009513060.tif 000007
【図３】
2009513060.tif 000008
【図４】
2009513060.tif 000009
【手続補正書】
【提出日】平成19年7月16日(2007.7.16)
【手続補正１】
【補正対象書類名】特許請求の範囲
【補正対象項目名】全文
【補正方法】変更
【補正の内容】
【特許請求の範囲】
【請求項１】
セルラーネットワーク内のアクセスポイント（３）と通信するために使用するための、前記セルラーネットワーク内のユーザ端末（５）であって、
前記アクセスポイントから受信される、ダウンリンクチャネルに関する測定を行うための手段（２３）と、
前記測定の結果についての情報を、前記セルラーネットワーク内のノード（３、７）に報告するための手段（２１）と
を含む前記ユーザ端末（５）であって、
前記ユーザ端末（５）は、各測定値の関数としての報告値、および前記測定値に対する参照値を計算するための手段（２７）を含むことと、
前記報告手段（２１）は、実際の前記測定値の代わりに、前記報告値を報告するように設定されることと
を特徴とする前記ユーザ端末（５）。
【請求項２】
前記測定に対する最大値γｍａｘを記憶するための記憶手段（２６）をさらに含み、その場合、前記計算手段（２７）は、前記最大値γｍａｘを前記参照値として使用するように設定される、請求項１によるユーザ端末（５）。
【請求項３】
前記ネットワーク内の制御ノード（３、７）から前記最大値γｍａｘを受信するための手段（２１）をさらに含む、請求項１〜２のいずれか１項によるユーザ端末。
【請求項４】
前記計算手段（２７）は、以前に報告される測定値を前記参照値として使用するように設定される、請求項１によるユーザ端末（５）。
【請求項５】
ｋ個の最良測定値を選択するための手段を含み、ｋは正の整数であって、その場合、前記計算手段（２７）は、前記ｋ個の最良測定値のみに対する報告値を計算するために設定され、前記報告手段（２１）は、前記ｋ個の最良測定値についての情報のみを前記制御ノード（３、７）に報告するように設定される、請求項１〜４のいずれか１項によるユーザ端末。
【請求項６】
閾値γｍｉｎを超える全測定値を判別するための手段をさらに含み、その場合、前記計算手段は、前記閾値γｍｉｎを超える前記測定値のみに対する報告値を計算するように設定され、前記報告手段は、前記閾値γｍｉｎを超える測定値のみを報告するように設定される、請求項１〜５のいずれか１項によるユーザ端末。
【請求項７】
ｋの値および／またはγｍｉｎの値を、前記ネットワーク内のノード（３、７）から受信するための手段（２１）をさらに含む、請求項５および６のいずれか１項によるユーザ端末。
【請求項８】
セルラーネットワークにおける使用のための制御ノード（３、７）であって、
前記セルラーネットワーク内の通信を制御するように設定され、
前記ユーザ端末（５）によって取得される、前記ノード（３、７）と前記ユーザ端末（５）との間のダウンリンクチャネルに関する測定値についての情報を、前記ネットワーク内のユーザ端末（５）から受信するための手段（１５、１１）を含む、前記ノードであって、
前記ユーザ端末から受信される前記情報に応じて、前記端末と通信するために使用すべき少なくとも１つのチャネルを選択するための手段を含む、前記ノードであって、
前記受信手段（１１、１５）は、各測定値についての情報を、前記測定値の関数である報告値として、および前記測定値に対する参照値として受信するように設定されること、を特徴とする前記ノード。
【請求項９】
測定値に対する最大値として最大値γｍａｘを設定するための手段（９、１３）と、前記最大値γｍａｘを前記ユーザ端末に報告するための手段（１０、１４）とをさらに含む、請求項８によるノード。
【請求項１０】
前記ユーザ端末によって報告される測定値の数を表す値ｋ、および／または前記ユーザ端末から報告される最低測定値を決定する最小閾値γｍｉｎを設定するための手段（９、１３）と、前記設定値を前記ユーザ端末に報告するための手段（１０、１４）と、前記設定値を前記ユーザ端末（５）に報告するための手段とをさらに含む、請求項８または９によるノード。
【請求項１１】
前記報告手段（１０、１４）は、前記設定値をブロードキャストメッセージで報告するように設定される、請求項９または１０によるノード。
【請求項１２】
前記報告手段（１０、１４）は、前記設定値を前記ユーザ端末に専用論理チャネル上で報告するように設定される、請求項９〜１１のいずれか１項によるノード。
【請求項１３】
前記セルラーネットワークにおいてアクセスノード（３）によってダウンリンクで送信されるパイロットシンボルまたは別の適当な測定可能信号からなる少なくとも１つの前記ダウンリンクチャネルを選択するための方法であって、
前記アクセスノード（３）から受信される、ダウンリンクチャネルに関する測定をユーザ端末（５）において行うステップと、
測定値についての情報を、前記ユーザ端末（５）からセルラーネットワーク内の制御ノード（３、７）に報告するステップと、
前記報告情報に応じて、少なくとも１つのダウンリンクチャネルを選択するステップと
を含む前記方法であって、
各測定値の関数としての報告値、および前記測定値に対する参照値を計算することと、
実際の前記測定値の代わりに、前記報告値を報告することと
を特徴とする前記方法。
【請求項１４】
前記測定に対する最大値γｍａｘが、参照値として使用される、請求項１２による方法。
【請求項１５】
前記測定に対する以前の測定値が、参照値として使用される、請求項１２による方法。
【請求項１６】
ｋ個の最良測定値を選択することと、前記ｋ個の最良測定値のみを前記制御ノードに報告することとをさらに含む、請求項１３〜１５のいずれか１項による方法。
【請求項１７】
最小閾値γｍｉｎを超える前記測定値を判別することと、前記最小閾値γｍｉｎを超える前記測定値のみを報告することとをさらに含む、請求項１３〜１６のいずれか１項による方法。
【請求項１８】
前記最大値γｍａｘ、前記ｋの値および／または前記最小値γｍｉｎを、前記ネットワーク内の制御ノード（３、７）から受信するステップをさらに含む、請求項１４〜１７のいずれか１項による方法。
【請求項１９】
前記制御ノードは前記アクセスポイントである、請求項１８による方法。
【請求項２０】
前記制御ノードはＲＮＣである、請求項１８による方法。
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
セルラーネットワーク内のアクセスポイント（３）と通信するための、前記セルラーネットワーク用のユーザ端末（５）であって、前記ユーザ端末（５）は、
前記アクセスポイント（３）から受信されるダウンリンクチャネルに関する測定を行うための手段（２３）と、
前記測定の結果についての情報を前記セルラーネットワーク内のノード（３、７）に報告するための手段（２１）と
を含み、
前記ユーザ端末（５）は、各測定値の関数としての報告値と、前記測定値に対する参照値とを計算するための手段（２７）を備えることと、
前記報告手段（２１）は、実際の前記測定値の代わりに前記報告値を報告するように構成されることと
を特徴とするユーザ端末（５）。
【請求項２】
セルラーネットワーク用の制御ノード（３、７）であって、
前記ノードは、前記セルラーネットワーク内の通信を制御するように構成され、前記ノード（３、７）と前記ユーザ端末（５）との間のダウンリンクチャネルに関して、前記ネットワーク内のユーザ端末（５）によって取得される測定値についての情報を、前記ユーザ端末（５）から受信するための手段（１５、１１）を備え、
前記ノードは、前記ユーザ端末から受信される前記情報に応じて、前記端末との通信用の少なくとも１つのチャネルを選択するための手段を備え、
前記受信手段（１１、１５）は、各測定値についての情報を、前記測定値の関数である報告値として、および前記測定値に対する参照値として受信するように構成されること、
を特徴とするノード。
【請求項３】
測定値に対する最大値としての最大値γｍａｘを設定するための手段（９、１３）と、前記最大値γｍａｘを前記ユーザ端末に報告するための手段（１０、１４）とをさらに備える、請求項２に記載のノード。
【請求項４】
前記ユーザ端末によって報告される測定値の数を表す値ｋ、および／または前記ユーザ端末から報告される最低測定値を決定する最小閾値γｍｉｎを設定するための手段（９、１３）と、１または２以上の前記設定値を前記ユーザ端末に報告するための手段（１０、１４）と、１または２以上の前記設定値を前記ユーザ端末（５）に報告するための手段とをさらに備える、請求項２または３に記載のノード。
【請求項５】
セルラーネットワークにおけるダウンリンクでアクセスノード（３）によって送信されるパイロットシンボルまたは別の適当な測定可能信号を含む少なくとも１つの前記ダウンリンクチャネルを選択するための方法であって、
前記アクセスノード（３）から受信されるダウンリンクチャネルに関して、ユーザ端末（５）において測定を行うステップと、
前記ユーザ端末（５）からの測定値についての情報を、前記セルラーネットワーク内の制御ノード（３、７）に報告するステップと、
報告された前記情報に応じて、少なくとも１つのダウンリンクチャネルを選択するステップと
を含み、
各測定値の関数としての報告値、および前記測定値に対する参照値を計算することと、
実際の前記測定値の代わりに前記報告値を報告することと
を有することを特徴とする方法。
【請求項６】
前記測定に対する最大値γｍａｘが参照値として使用される、請求項５に記載の方法。
【請求項７】
前記測定に対す以前の測定値が参照値として使用される、請求項５に記載の方法。
【請求項８】
ｋ個の最良測定値を選択することと、前記ｋ個の最良測定値のみを前記制御ノードに報告することとをさらに含む、請求項５〜７のいずれか１項に記載の方法。
【請求項９】
最小閾値γｍｉｎを超える前記測定値を識別することと、前記最小閾値γｍｉｎを超える前記測定値のみを報告することとをさらに含む、請求項５〜８のいずれか１項に記載の方法。
【請求項１０】
前記最大値γｍａｘ、前記ｋの値および／または前記最小値γｍｉｎを、前記ネットワーク内の制御ノード（３、７）から受信するステップをさらに含む、請求項６〜９のいずれか１項による方法。
【国際調査報告】
2009513060.tif 000010
2009513060.tif 000011
2009513060.tif 000012
2009513060.tif 000013
2009513060.tif 000014